(57)【要約】【課題】本発明は画素構造変更で開口率を向上すると共に、駆動時に消費電力を節減できる横電界液晶表示装置を提供すること。【解決手段】本発明の横電界液晶表示装置は、交差配列され画素領域を画成する複数のゲート配線と複数のデータ配線と、前記データ配線及び前記ゲート配線の交差領域に形成される薄膜トランジスタと、前記画素領域内で互いに対向し前記データ配線と平行に形成される一対の共通配線と、前記共通配線と一体に形成されデータ配線に垂直な方向に対して所定の傾斜角を有するように形成される共通電極と、前記共通配線とオーバーラップされるように配置される一対の画素電極配線と、前記画素電極配線と一体に形成され、前記共通電極と平行に傾斜角を有し、前記共通電極と交互に配置されている画素電極と、を含み、前記ゲート配線は前記共通電極と画素電極と平行に所定の傾斜角を有するように形成される。【選択図】図４
2005346064.tif 000002
【特許請求の範囲】
【請求項１】
交差配列され画素領域を画成する複数のゲート配線と複数のデータ配線と、
前記データ配線及び前記ゲート配線の交差領域に形成される薄膜トランジスタと、
前記画素領域内で互いに対向し前記データ配線と平行に形成される一対の共通配線と、
前記共通配線と一体に形成され、前記データ配線に垂直な方向に対して所定の傾斜角を有するように形成される共通電極と、
前記共通配線とオーバーラップされるように配置される一対の画素電極配線と、
前記画素電極配線と一体に形成され、前記共通電極と平行に傾斜角を有し、前記共通電極と交互に配置されている画素電極と、を含み、
前記ゲート配線は前記共通電極と画素電極と平行に所定の傾斜角を有するように形成されることを特徴とする横電界液晶表示装置。
【請求項２】
前記ゲート配線を前記共通電極と画素電極と平行するように形成することで、前記データ配線とゲート配線の交差領域で開口率を確保するようにしたことを特徴とする請求項１に記載の横電界液晶表示装置。
【請求項３】
前記共通電極は、前記画素領域において前記データ配線に垂直な方向に対して所定角度だけ上下方向に傾いていることを特徴とする請求項１に記載の横電界液晶表示装置。
【請求項４】
前記画素電極は、前記画素領域において前記データ配線に垂直な方向に対して所定角度だけ上下方向に傾いていることを特徴とする請求項１に記載の横電界液晶表示装置。
【請求項５】
前記共通配線と前記画素電極配線がオーバーラップされる領域で蓄積容量が形成されることを特徴とする請求項１に記載の横電界液晶表示装置。
【請求項６】
前記ゲート配線、共通電極及び画素電極は、同一の角度で傾けられ、隣接する画素領域で互いに平行になっていることを特徴とする請求項１に記載の横電界液晶表示装置。
【請求項７】
前記ゲート配線、共通電極及び画素電極は、前記データ配線に垂直な方向に対して４５度未満の角度だけ傾けて配列されることを特徴とする請求項１に記載の横電界液晶表示装置 。
【請求項８】
前記ゲート配線、共通電極および画素電極は、前記データ配線に垂直な方向に対して５度から３５度までの範囲内の角度だけ傾けて配列されていることを特徴とする請求項１に記載の横電界液晶表示装置。
【請求項９】
前記データ配線に隣接する共通配線は、８μｍ以下の幅で形成されることを特徴とする請求項１に記載の横電界液晶表示装置。
【請求項１０】
前記ゲート配線は、前端のゲート配線とそれぞれすき間ができている構造で形成され各画素の開口領域が広がるようにしたことを特徴とする請求項１に記載の横電界液晶表示装置。
【請求項１１】
前記ゲート配線と前記データ配線が交差する付近に形成される前記薄膜トランジスタは、各画素列によって右側または左側に配置されることを特徴とする請求項１に記載の横電界液晶表示装置。
【請求項１２】
前記ゲート配線と隣接する画素電極は、画素領域内で同一な間隔で配置されていることを特徴とする請求項１に記載の横電界液晶表示装置。
【請求項１３】
前記ゲート配線と隣接する画素電極は、画素領域で１０μｍの間隔で離隔していることを特徴とする請求項１に記載の横電界液晶表示装置。
【請求項１４】
平行に整列される複数のデータ配線、前記データ配線に対して所定の角度だけ傾けられたゲート配線、および前記データ配線とゲート配線により画成される画素領域を含む横電界液晶表示装置を駆動するための方法であって、
前記データ配線にデータ信号を順次印加するステップと、
前記ゲート配線に走査信号を順次印加するステップと、を含み、
液晶パネル内における対角線状に位置する画素領域の組に対して異なる極性の電圧を交互に印加するようにしたことを特徴とする横電界液晶表示装置駆動方法。
【請求項１５】
２つの隣接するデータ配線が、一つの列に沿って形成された画素領域に対してジグザグ状にデータ信号を印加するようにした請求項１４に記載の横電界液晶表示装置駆動方法。
【請求項１６】
前記複数のデータ配線に対する順次的なデータ信号の印加は、コラムインバージョン方式によってなされることを特徴とする請求項１４に記載の横電界液晶表示装置駆動方法。
【請求項１７】
前記液晶パネルの画素領域に対する高いデータ電圧と低い電圧の交互的な印加は、ドットインバージョン方式により液晶パネルを駆動するときと同一の形態でなされることを特徴とする請求項１４に記載の横電界液晶表示装置駆動方法。
【請求項１８】
前記液晶パネルの画素領域には、垂直方向に交互に相違する極性の信号が印加されることを特徴とする請求項１４に記載の横電界液晶表示装置駆動方法。
【請求項１９】
前記液晶パネルの画素領域には水平方向に交互に相違する極性の信号が印加されることを特徴とする請求項１４に記載の横電界液晶表示装置駆動方法。
【発明の詳細な説明】
【技術分野】
【０００１】
本発明は横電界液晶表示装置に関し、特に開口率を向上すると共に、消費電力を節減できる横電界液晶表示装置及びその駆動方法に関する。
【背景技術】
【０００２】
近年モバイルホン(Mobile Phone)、ＰＤＡ、ノートブックコンピューターのような各種携帯用電子機器の画像表示の用途以外にも放送信号を受信してディスプレイするテレビジョンに適用できる軽薄短小型フラットパネル表示装置(Flat Panel Display Device)に対する要求が次第に増大している。このようなフラットパネル表示装置としてはＬＣＤ(Liquid Crystal Display)、ＰＤＰ(Plasma Display Panel)、ＦＥＤ(Field Emission Display)、ＶＦＤ(Vacuum Fluorescent Display)などに対する研究が活発に行われている。
【０００３】
その中で現在、画質が優れて軽量、薄型、低消費電力の理由で液晶表示装置(ＬＣＤ)が脚光を浴びている。
【０００４】
このような液晶表示装置は、画像を表示する液晶パネルと前記液晶パネルに駆動信号を印加するための駆動部とに大きく分けられる。前記液晶パネルは合着された第１、第２基板と、前記第１、第２基板の間に注入された液晶層とから構成される。
【０００５】
一般に、前記第１基板(ＴＦＴ基板)には一定の間隔で一方向に配列される複数のゲート配線と、前記各ゲート配線と垂直に配列される複数のデータ配線と、前記各ゲート配線とデータ配線が交差して定義された各画素領域にマトリックス形態に形成される複数の画素電極と、前記ゲート配線の信号によりスイッチングされ前記データ配線の信号を前記各画素電極に伝達する複数の薄膜トランジスタと、が形成される。
【０００６】
そして、前記第２基板(カラーフィルタ基板)には前記画素領域を除いた部分の光を遮断するためのブラックマトリックス層と、カラー色相を表現するためのＲ、Ｇ、Ｂカラーフィルタ層と、画像を具現するための共通電極と、が形成される。もちろん、横電界方式の液晶表示装置では共通電極が第１基板に形成される。
このように前記第１、第２基板が形成されると、両基板を合着してから液晶を注入する。
【０００７】
一方、前記のように液晶表示装置の駆動原理は液晶の光学的異方性と分極性質を利用する。
前記液晶は細長い構造なので、分子の配列が方向性を有しており、人為的に液晶に電気場を印加して分子の配列方向を制御できる。
従って、前記液晶分子の配列方向を任意に調節すると、液晶の分子配列が変化し、光学的異方性により偏光された光が任意に変調され画像情報を表現できる。
【０００８】
前記液晶表示装置は液晶分子の配列によって様々な表示モードが存在するが、現在は黒白表示が容易で応答速度が速い且つ駆動電圧が低いという長所から、主にＴＮモードの液晶表示装置が使用されている。このようなＴＮモード液晶表示装置では基板と水平に配向された液晶分子が電圧が印加されるとき基板とほぼ垂直に配向される。従って、液晶分子の屈折率異方性(refractive anisotropy)により電圧の印加時に視野角が狭くなる問題がある。
【０００９】
このような視野角の問題を解決するため、近来広視野角特性(wide viewing angle characteristic)を有する各種モードの液晶表示装置が提案されているが、その中でも横電界モード(In Plane Switching Mode)の液晶表示装置が実際量産に適用され生産されている。
【００１０】
前記ＩＰＳモード液晶表示装置は電圧を印加したとき表面状の横電界を形成して液晶分子を表面状に配向することで視野角特性を向上する。
【００１１】
図１は一般の横電界モードの液晶表示装置を概略的に示した断面図である。
図１に示したように、下部基板１１上に画素電極１２と共通電極１３が同一平面上に形成されている。
そして、下部基板１１との間に一定の空間を有して合着された上部基板１５との間に形成された液晶層１４は前記下部基板１１上の前記画素電極１２と共通電極１３間の横電界により作動する。
【００１２】
図２ａ及び図２ｂは横電界モードの液晶表示装置で電圧オン(on)/オフ(off)時の液晶の変化を示す図面である。
【００１３】
図２ａは画素電極１２または共通電極１３に横電界が印加されていないオフ状態であり、液晶層１４の相変異が起こらないことが分かる。例えば画素電極１２と共通電極１３の水平方向から基本的に４５度ずれている。
【００１４】
図２ｂは画素電極１２と共通電極１３に横電界が印加されたオン状態であり、液晶層１４の相変異が起こり、前記図２ａのオフ状態と比べて４５度程度のずれ角を有し、画素電極１２と共通電極１３の水平方向と液晶のずれ角の方向が一致することが分かる。
【００１５】
前述したように、ＩＰＳの液晶表示装置は同一平面上に画素電極と共通電極とが存在する。
【００１６】
前記横電界方式の長所は広視野角が可能だということである。即ち、液晶表示装置を正面から見たとき、上下左右の約７０度方向から見られる。
そして、一般に使用される液晶表示装置に比べて製作工程が簡単で、視野角による色の移動が少ないという長所がある。
しかしながら、共通電極と画素電極とが同一平面上に存在するので光による透過率と開口率が低下する短所がある。
【００１７】
図３は従来の横電界液晶表示装置を示す平面図である。
図３は示したように、透明な下部基板３１上に画素領域Ｐを定義するために一定の間隔を持って一方向に複数のゲート配線３２が配列され、前記ゲート配線３２に垂直方向に一定の間隔を持って複数のデータ配線３５が配列される。
【００１８】
前記ゲート配線３２と平行に画素領域Ｐ内に共通配線３９が配列され、前記ゲート配線３２とデータ配線３５が交差して定義されたそれぞれの画素領域Ｐには薄膜トランジスタＴが形成される。
【００１９】
ここで、前記薄膜トランジスタＴは前記ゲート配線３２から突出して形成されるゲート電極３２ａと、前記下部基板３１の前面に形成されたゲート絶縁膜(図示せず)と、前記ゲート電極３２ａ上側のゲート絶縁膜の上に形成されるアクティブ層３４と、前記データ配線３５から突出して形成されるソース電極３５ａと前記ソース電極３５ａと一定の間隔を持って形成されるドレイン電極３５ｂとから構成される。
【００２０】
前記画素領域ｐ内に前記データ配線３５と平行に一定の間隔を持って互いに連結され一側端が薄膜トランジスタＴのドレイン電極３５ｂに連結される複数の画素電極３８が形成され、前記画素領域Ｐ内に前記共通配線３９から突出される複数の共通電極３９ａが形成される。
【００２１】
そして、前記データ配線３５と隣接する共通電極３９ａの間には電界歪曲を防止するために遮断電極３６を形成する。
【００２２】
より詳しく説明すると、前記のように構成された液晶パネルでゲート配線３２を介して前記薄膜トランジスタＴに走査信号が印加されると前記薄膜トランジスタＴがオンされデータ配線３５を介して画像信号が画素電極３８に入力される。そうすると、前記共通電極３９ａと画素電極３８との間には基板と実質的に水平の横方向の電界が発生し、前記電界方向に沿って液晶分子が回転する。
【００２３】
しかし、前記画素電極３８に画像信号が入力される場合、電界は前記共通電極３９あと前記画素電極３８の間だけに発生するのではなく前記画素電極３８とデータ配線３５間にも発生する。
【００２４】
このとき、前記画素電極３８とデータ配線３５間に発生する電界は画素内の全体横電界を歪曲し、これにより信号印加後の液晶分子が完全に基板と水平に配向しなくなり、その結果垂直方向へのクロストーク(cross talk)が発生する。
【００２５】
そして、電界変化により液晶が回転し色感の変化が発生するが、これを防止するために前記データ配線３５と隣接する共通電極３９ａの間、前記データ配線３５と隣接する画素電極３８の間に電界を遮断するための遮断電極３６を形成する。
【００２６】
しかし、前記遮断電極３６を形成するためには前記共通電極３９ａの幅を最小１０μｍ以上形成しなければならない。
従って、遮断電極の形成により共通電極の幅が広くなることで画素領域の開口率が劣る問題が発生する。
【発明の開示】
【発明が解決しようとする課題】
【００２７】
本発明の目的は、横電界液晶表示装置の画素電極、共通電極及びゲート配線が互いに平行かつ所定の傾斜角を有するように形成して開口率を向上し、画素列によるコラムインバージョン方式を使用することで消費電力を低減できる横電界液晶表示装置及びその駆動方法を提供することにある。
【課題を解決するための手段】
【００２８】
本発明の上記目的を達成するために、本発明の１つの局面において、改良された横電界液晶表示装置が提供される。この横電界液晶表示装置は、基本的に、交差配列され画素領域を画成する複数のゲート配線と複数のデータ配線と、前記データ配線及び前記ゲート配線の交差領域に形成される薄膜トランジスタと、前記画素領域内で互いに対向し前記データ配線と平行に形成される一対の共通配線と、前記共通配線と一体に形成され、前記データ配線に垂直な方向に対して所定の傾斜角を有するように形成される共通電極と、前記共通配線とオーバーラップされるように配置される一対の画素電極配線と、前記画素電極配線と一体に形成され、前記共通電極と平行に傾斜角を有し、前記共通電極と交互に配置されている画素電極とから構成され、前記ゲート配線は前記共通電極と画素電極と平行に所定の傾斜角を有するように形成されている。
【００２９】
本発明の表示装置においては、前記ゲート配線を前記共通電極と画素電極と平行するように形成することで、前記データ配線とゲート配線の交差領域で開口率を確保するようになっている。
【００３０】
好適には、前記共通電極同様に、画素電極は、前記画素領域において、前記データ配線に垂直な方向に対して所定の角度だけ上下方向に傾けられている。
【００３１】
また、好適には、前記共通配線と前記画素電極配線がオーバーラップされる領域で蓄積容量が形成されるようになっている。
【００３２】
また、前記ゲート配線、共通電極及び画素電極は、同一の角度で傾けられ、隣接する画素領域で互いに平行に配列されるのが望ましい。
【００３３】
典型的には、前記ゲート配線、共通電極及び画素電極は、前記データ配線に垂直な方向に対して４５度未満の角度だけ傾けて配列されるが、この傾き角度が、５度から３５度の間の範囲にあるといっそう効果的である。
【００３４】
好適には、前記データ配線に隣接する共通配線は８μｍ以下の幅で形成され、及び前記ゲート配線は、前端のゲート配線とそれぞれすき間ができている構造で形成され各画素の開口領域が広げられるようにされる。
【００３５】
また、前記ゲート配線と前記データ配線が交差する付近に形成される前記薄膜トランジスタが、各画素列によって右側または左側に配置され、前記ゲート配線と隣接する画素電極が、画素領域内で同一な間隔で配置され、及び前記ゲート配線と隣接する画素電極が、画素領域で１０μｍの間隔で離隔されることが望ましい。
【００３６】
本発明の別の局面においては、平行に整列される複数のデータ配線、前記データ配線に対して所定の角度だけ傾けられたゲート配線、および前記データ配線とゲート配線により画成される画素領域を含む横電界液晶表示装置を駆動するための方法が提供される。この駆動方法は、基本的に、前記データ配線にデータ信号を順次印加するステップと、前記ゲート配線に走査信号を順次印加するステップとから成り、液晶パネル内における対角線状に位置する画素領域の組に対して異なる極性の電圧が交互に印加されるようになっている。
【００３７】
そして、動作上、２つの隣接するデータ配線が、一つの列に沿って形成された画素領域に対してジグザグ状にデータ信号を印加するようになっている。
【００３８】
好適には、前記複数のデータ配線に順次的なデータ信号の印加は、コラムインバージョン方式によりなされるおよび／又は前記液晶パネルの画素領域への高低電圧の印加は、ドットインバージョン方式により液晶パネルを駆動するときと同一な形態でなされる。
【００３９】
また、前記液晶パネルの画素領域は、垂直方向に交互に相違する極性の信号が印加されるおよび／又は水平方向に交互に相違する極性の信号が印加されるのが望ましい。
【発明の効果】
【００４０】
本発明に係る横電界液晶表示装置は、横電界液晶表示装置の画素電極、共通電極及びゲート配線が同一方向に対して同一な角度で形成され開口率を向上することができる。
【００４１】
尚、ゲート配線とデータ配線が交差する領域に薄膜トランジスタを画素列によって右側または左側に配置してコラムインバージョン方式を使用しながらドットインバージョン方式を具現することで消費電力を低減できる。
【発明を実施するための最良の形態】
【００４２】
以下、添付図面を参照して本発明の実施例を詳しく説明する。
【００４３】
図４は本発明に係る横電界液晶表示装置の構造を概略的に示した図面であり、図５は図４の画素領域に表示されたブロック領域を拡大した平面図である。
【００４４】
図４及び図５に示したように、横電界液晶表示装置は画素領域を定義するために一定の間隔を持って垂直方向に複数のデータ配線４４が配列され、前記データ配線４４に対して所定角度で傾いて形成された複数のゲート配線４２が配列される。
【００４５】
そして、前記データ配線４４と前記ゲート配線４２が交差して定義された各画素領域Ｐ１、Ｐ２、Ｐ３、Ｐ４には薄膜トランジスタＴが形成される。このとき、各画素列によって前記薄膜トランジスタＴが左側または右側に配置される。
【００４６】
即ち、本発明ではいずれか一つのデータ配線４４から引出されたソース電極は前記データ配線４４を中心に左右側の画素領域に交互にソース電極が引出されている。
【００４７】
そして一つのデータ配線４４からジグザグ状に引出されるソース電極(図５の４５ａ)は前記データ配線４４を中心に隣接する両側の画素領域のソース電極として使用される。
【００４８】
尚、前記データ配線４４と前記ゲート配線４２により定義された画素領域内に前記データ配線４４と隣接する部分に前記データ配線４４に平行に共通配線５１及び画素電極配線５２が配列される。このとき、前記データ配線４４に隣接する共通配線５１及び画素電極配線５２は８μｍ以下の幅で形成される。
【００４９】
尚、前記データ配線４４と隣接する共通配線５１と前記画素電極配線５２は互いにオーバーラップされており、それぞれの画素領域でストリジキャパシタンス(storage capacitance)を形成する。
【００５０】
そして、前記共通配線５１及び前記画素電極配線５２から突出し、前記ゲート配線４２と平行に複数の第１電極及び第２電極が形成される。ここで、前記第１電極は共通電極４６であり、前記第２電極は画素電極４８である。
【００５１】
前記共通電極４６と画素電極４８は前記データ配線４４に垂直の画素領域の中心を基準として前記データ配線４４の上下方向に所定の傾斜角を有するように形成されており、広視野角を具現できる。
【００５２】
共に、薄膜トランジスタが位置するゲート配線４２も前記共通電極４６及び画素電極４８と平行かつ傾くように形成することで、開口率を向上した。
【００５３】
図５を参照してより詳しく説明すると、前記薄膜トランジスタはゲート配線４２から延長され走査信号が印加されるゲート電極(図示せず)と、前記ゲート電極の上に形成され走査信号が印加されることによって活性化しチャンネル層を形成する半導体層(図示せず)と、前記半導体層の上に形成され、前記データ配線４４から延長して画素信号が印加されるソース電極４５ａ及びドレイン電極４５ｂとから構成される。
【００５４】
尚、画素領域内に配置される前記共通電極４６及び前記画素電極４８は前記データ配線４４に垂直の方向を基準に所定の傾斜角を有するように形成されている。そして傾斜角を有する共通電極４６及び画素電極４８と平行するように前記ゲート配線４２も所定の角度で傾くように形成されている。ここで傾斜角度は前記データ配線４４に垂直の方向を基準として４５度未満である。しかしながら、本発明による十分な効果を得るためには、傾斜角度としては、５度ないし３５度の範囲内の角度を用いるのが望ましい。
【００５５】
このように、前記共通電極４６、前記画素電極４８及びゲート配線４２を水平方向に対して所定の角度で傾くように形成すると、液晶配向を水平方向(０度)にすることができる。
【００５６】
そして、前記データ配線４４と隣接する共通電極４６間に発生する電界と液晶配向方向が同一な方向(０度)であるので前記データ配線４４から発生する電界により電界歪曲が発生しない。
【００５７】
このように、電界歪曲が発生しないと、従来のように遮断電極を別に形成したりカラーフィルタ基板のブラックマトリックスで遮断しなくていいので画素領域の開口率を向上することができる。
【００５８】
尚、前記ゲート配線４２が前記データ配線４４に対して垂直に交差せず、水平方向に対して所定の角度で配置されると、前記ゲート配線４２と隣接する画素電極４８の間隔を一定(普通１０μｍ)に維持できるので開口率を向上することができる。
【００５９】
即ち、前記画素電極４８と共通電極４６を傾くように形成し、ゲート配線４２を水平に形成すると、前記ゲート配線４２と画素電極４８Ｇに一定の間隔が維持できない。
【００６０】
従って、一つの画素領域で前記ゲート配線４２と画素電極４８間の間隔が１０μｍ以上の領域が発生し、１０μｍ以上の領域は画素領域で有効に光を透過する領域として使用できないのでその分開口率が低下する。
【００６１】
しかし、本発明のようにゲート配線４２も前記画素電極４８及び共通電極４６と平行に傾くように形成すれば、画素領域で前記ゲート配線４２と画素電極４８が一定の間隔を維持し１０μｍ以上の領域が存在しなくなりその分開口率を確保できる。
【００６２】
前記ゲート配線４２と画素電極４８の間隔１０μｍは絶対的な間隔でなく、液晶パネルのサイズ、解像度によってその距離は様々に変化できる。
【００６３】
尚、前記ゲート配線４２は前端のゲート配線４２と対称して傾いているので(すき間ができている構造)画素領域の開口領域をより広げることができる。
【００６４】
一方、前記共通電極４６は隣接する画素に近付いて配列された共通配線５１と接続されており、前記画素電極４８は前記共通配線５１とオーバーラップされるように配列された前記画素電極配線５２と接続されている。
【００６５】
前記データ配線４４と隣接する共通配線５１と前記画素電極配線５２はストリジ電極として使用するために互いにオーバーラップしてストリジキャパシタ(storage capacitor)５０が形成される。
【００６６】
より詳しくは、液晶に印加される電圧の維持特性を向上し諧調表示の安定性を向上し、フリッカー現象及び残像を減少するために蓄積容量(storage capacitor)が必要となる。
【００６７】
一方、図６は本発明に横電界液晶表示装置の画素列に信号が印加され駆動されることを示した図面である。同図に示したように、前記ゲート配線と前記データ配線が交差する付近に形成される前記薄膜トランジスタＴはそれぞれ画素列によって右側または左側に配置されている。
【００６８】
より詳しくは、前記薄膜トランジスタＴは各画素列によって右側または左側に交差して配置されており、印加された信号の極性によって信号を受ける。
【００６９】
即ち、コラムインバージョン駆動方式によって第１データ配線と第２データ配線にそれぞれ順次にデータ信号が印加されると、前記第１データ配線のソース電極と連結された画素領域にそれぞれデータ信号が印加される。(図４画素構造参照)
本発明では一つの列に沿って形成された画素領域に二つのデータ配線がジグザグ状でデータ信号を印加される構造であるので前記データ配線の垂直方向に対応する画素領域らが交互にオン/オフ状態になる。
【００７０】
前記オフ状態の画素領域は隣接するデータ配線から印加されるデータ信号によりオンされる。
【００７１】
従って、図６に示したように、コラムインバージョン方式で駆動する液晶パネルの画素領域はドットインバージョン方式のように駆動する。
【００７２】
即ち、二つのデータ配線を基準にそれぞれ順次にデータ信号が印加され、ゲート配線に順次にオン/オフ信号が印加されると、一番目のデータ配線と連結されたＰ１画素領域は共通電極より高い電圧が印加され、隣接するＰ２画素領域にはデータ信号が印加されず共通電極より低い電圧が印加される。
【００７３】
同一に、次のゲート配線にオン/オフ駆動信号が印加されると、Ｐ２画素領域にはデータ信号が印加されないので共通電極より低い電圧が印加され、Ｐ４画素領域にはデータ信号が印加されるので共通電極より高い電圧が印加される。
【００７４】
前述のように、本発明の横電界液晶表示装置は画素電極、共通電極及びゲート配線が同一方向に対して同一角度で形成され開口率を向上し、画素列によるコラムインバージョン方式を使用することで消費電力を節減できる。
【００７５】
本発明は図面に示した実施例を参照して説明したが、これは単に例示的なもので、本技術分野に対する通常の知識を有する者なら様々な変形及び均等な他実施例が可能であることが分かるはずだろう。従って、本発明の真の技術的保護範囲は添付の特許請求範囲の技術的思想により決まるものである。
【図面の簡単な説明】
【００７６】
【図１】一般の横電界モードの液晶表示装置を概略的に示す断面図。
【図２ａ】横電界モードの液晶表示装置において電圧オン/オフ時の液晶の変化を示す図面。
【図２ｂ】横電界モードの液晶表示装置において電圧オン/オフ時の液晶の変化を示す図面。
【図３】従来に係る横電界液晶表示装置を示す平面図。
【図４】本発明に係る横電界液晶表示装置の構造を概略的に示す図面。
【図５】図４の画素領域に表示されたブロック領域を拡大した平面図。
【図６】本発明の横電界液晶表示装置の画素列に信号が印加され駆動されるのを示す図面。
【符号の説明】
【００７７】
４２：ゲート配線
４４：データ配線
４５ａ：ソース電極
４５ｂ：ドレイン電極
４６：共通電極
４８：画素電極
５０：ストリジキャパシタ
５１：共通配線
５２：画素電極配線
【図１】
2005346064.tif 000003
【図２ａ】
2005346064.tif 000004
【図２ｂ】
2005346064.tif 000005
【図３】
2005346064.tif 000006
【図４】
2005346064.tif 000007
【図５】
2005346064.tif 000008
【図６】
2005346064.tif 000009